(57)【要約】【課題】携帯電話１２，５６を収納する袋に、携帯電話１２，５６への通信遮断機能を持たせることにより、該携帯電話１２，５６を袋に出し入れするだけで通信許可状態と通信拒否状態とのいずれかを容易に選択して利用することができる携帯電話１２，５６の収納袋１１，５１を提供することを目的とする。【解決手段】携帯電話１２，５６を収納する袋であって、前記袋の素材は、携帯電話１２，５６への通信を遮断する電磁波遮断シート１６と、抗菌作用を有する銀メッキ層１７及び光触媒層１８とを重ねた多層構造に構成した携帯電話１２，５６の収納袋１１，５１を構成する。【選択図】図２
2008018113.tif 000002
【特許請求の範囲】
【請求項１】
携帯型通信機器を収納する袋であって、
前記袋の素材は、携帯型通信機器への通信を遮断する通信遮断素材と、抗菌作用を有する抗菌素材とを重ねた多層構造に構成した
携帯型通信機器の収納袋。
【請求項２】
前記抗菌素材として、銀メッキ層と光触媒層との少なくとも一方を袋の内面に備えた
請求項１に記載の携帯型通信機器の収納袋。
【発明の詳細な説明】
【技術分野】
【０００１】
この発明は、例えば携帯電話等の携帯型通信機器の通信可否の切換えに際して、利用者が携帯型通信機器をキー入力操作することなく通信許可状態と通信拒否状態との一方に瞬時に切換えることができる携帯型通信機器の収納袋に関する。
【背景技術】
【０００２】
以下、携帯型通信機器の一例として携帯電話を例にとって説明する。一般に、携帯電話の利用に際しては、利用者が携帯する場所に応じて利用者が電源をＯＮ／ＯＦＦして利用可否を設定変更している。例えば、携帯電話を通信許可状態から通信拒否状態に設定変更する場合は、利用者が携帯電話の電源を切るキー入力操作を行って携帯電話の通信を拒否している。また、この通信拒否状態から通信許可状態に設定変更する場合も、その携帯電話の電源を入れるキー入力操作を行って携帯電話の通信を許可するようにしている。
【０００３】
このように携帯電話の通信可否を設定変更する場合、キー入力操作を要して電源の切入り操作に手間がかかり、手際のよい電源ＯＮ／ＯＦＦの切換え操作ができなかった。また、携帯電話の電源がＯＮ／ＯＦＦいずれになっているかは、携帯電話の液晶画面が点灯しているか等を見なければ確認できなかった。
【０００４】
このほかにも、携帯電話は利用者の身近にあって携帯されることから衛生的に管理されることが望まれている。この種の対策の一例として、携帯電話を収納袋に入れて携帯させ、携帯電話が汚れている場合は、その収納袋で携帯電話の汚れを拭取れるという柔軟性を有する携帯電話収納袋が知られている（例えば特許文献１参照）。
【０００５】
しかし、携帯電話を単に収納袋に入れるだけでは、携帯電話に付着している雑菌を排除して衛生的に管理することは難しく、また携帯電話の通信可否を切換えることはできなかった。
【０００６】
【特許文献１】特開２００１−２７５７３０号公報
【発明の開示】
【発明が解決しようとする課題】
【０００７】
そこでこの発明は、携帯型通信機器を収納する袋に、携帯型通信機器への通信拒否機能を持たせることにより、該携帯型通信機器を袋に出し入れするだけで通信許可状態と通信拒否状態とのいずれかを容易に選択して利用することができ、かつ携帯型通信機器の衛生状態を良好にできる携帯型通信機器の収納袋を提供することを目的とする。
【課題を解決するための手段】
【０００８】
この発明は、携帯型通信機器を収納する袋であって、前記袋の素材は、携帯型通信機器への通信を遮断する通信遮断素材と、抗菌作用を有する抗菌素材とを重ねた多層構造に構成した携帯型通信機器の収納袋であることを特徴とする。
【発明の効果】
【０００９】
この発明によれば、携帯型通信機器の通信許可状態と通信拒否状態との一方を瞬時に選択することができ、通信可否の切換えに手間がかからなくなる。よって、携帯型通信機器の取扱い性が向上し、利用者の満足度を向上させることができる。しかも、袋に収納されている間は除菌されて衛生的となり、通信管理及び衛生管理にも優れた携帯型通信機器の収納袋となる。
【発明を実施するための最良の形態】
【００１０】
この発明の一実施形態を以下図面と共に説明する。  
【実施例１】
【００１１】
図１は携帯電話を収納する収納袋１１の正面図、図２は収納袋１１に携帯電話１２を収納した使用状態を示す正面図である。この収納袋１１は携帯電話１２を収納できる大きさの長方形状を有し、上面に携帯電話１２を出し入れする口部１３を有し、その口部１３を紐１４により絞って閉じる巾着型の収納袋１１である。この収納袋１１の内部に収納された携帯電話１２は口部１３が紐１４で閉じられて外界と遮断される。
【００１２】
上述の収納袋１１の素材は、図３の収納袋１１の積層素材の一部拡大断面図に示すように、収納袋１１の外面となる外側に布生地などを素材とする外面シート１５を有し、該外面シート１５の内側に電磁波遮断シート１６と、銀メッキ層１７と、光触媒層１８とをこの順に積層して構成されている。
【００１３】
収納袋１１の基材となる外面シート１５は、収納袋１１が携帯されて利用者の手に接触することが多いことから柔軟性を有する手触りのよい素材がよく、例えば布生地やフェルト生地やフィルムシートなどが適している。
【００１４】
図４は電磁波遮断シート１６の断面図である。この電磁波遮断シート１６は、表面シート４１、磁気遮断素材シート４２、絶縁シート４３、磁気遮断素材シート４４、及び裏面シート４５をこの順に重合配置して、互いに平行する複数層からなる均一な１枚の厚さのシートに構成されている。
【００１５】
前記表面シート４１及び裏面シート４５は、絶縁素材の一例としてナイロン材を用い、このナイロン材により形成された肉厚０．２５μｍ程度の薄い長方形のシートである。  
磁気遮断素材シート４２及び磁気遮断素材シート４４は、アルミ材に炭素を含有した素材により形成された肉厚０．０５μｍ程度の薄い長方形のシートである。この磁気遮断素材シート４２，４４は、アルミ材を主成分とすることにより素材の重量を軽量化している。また、炭素を含有させることで、通信に用いられる電磁波の遮断性能を向上させている。  
絶縁シート４３は、絶縁素材の一例としてナイロン材を用い、このナイロン材により形成された肉厚略１ｍｍ程度の長方形のシートである。
【００１６】
前記電磁波遮断シート１６を収納袋１１の一構成素材とすることにより、該収納袋１１の生地に通信遮断機能が得られる。  
上述の電磁波遮断シート１６の内面は、衛生向上を目的とする銀メッキ層１７が設けられている。
【００１７】
この銀メッキ層１７の内面には、さらに除菌効果が得られる光触媒層１８が設けられている。この光触媒層１８は、二酸化チタンの薄膜層を均一な厚さに形成したものであり、太陽や蛍光灯などの光が当たると、その表面で強力な酸化力が生まれ、この酸化力によって化合物や細菌などの有害物質を除去するという特性を有している。
【００１８】
以上の構成により、収納袋１１の内部空間では外界との通信が遮断され、携帯電話１２を収納袋１１に入れるだけで通信を遮断することができる。そして、収納袋１１から携帯電話１２を取出した時点で通信が許可される。従って、該収納袋１１が携帯電話１２の電源の役目を果すことができ、携帯電話１２の取扱い性を高めることができる。
【００１９】
また、銀メッキ層１７は、銀自体に強い抗菌作用があり、収納袋１１の内面に存在させているだけで収納袋１１内を除菌する効果が得られる。従って、収納袋１１に入れられた携帯電話１２は、該収納袋１１内で銀メッキ層１７による抗菌作用を受け、自然に除菌されることになり、衛生管理が行き届いた収納袋１１として利用されることになる。
【００２０】
また、収納袋１１の内部空間に光を照射させたり、収納袋１１を裏返したりして光触媒層１８に光を照射させた場合は、該収納袋１１に、抗菌、内面の防汚、脱臭及び内部空気を浄化しようとする働きを生じさせることができる。
【００２１】
以上により、携帯電話１２の使用が規制される状況、例えば利用者が車両に乗車する時、病院に入る時、会議が開始される時など、利用者が携帯する携帯電話１２の通信を遮断しておきたい場合、利用者は携帯電話１２を通信遮断機能を有する収納袋１１に入れるだけでよい。これにより、収納袋１１に収納された携帯電話１２は該収納袋１１の内面に形成されている電磁波遮断シート１６によって外界との通信が瞬時に遮断される。このため、利用者はいちいち手間のかかる携帯電話１２の電源を切るキー入力操作をしなくても通信を遮断することができる。
【００２２】
その後、収納袋１１より携帯電話１２を取出せば、該携帯電話１２の取出し時点で電磁波遮断シート１６による通信遮断作用を受けなくなって、取出しと同時に通信が許可される。従って、該収納袋１１が携帯電話１２の電源の役目を果して携帯電話１２の取扱い性を向上することができ、利用者は携帯電話１２の能率のよい利用を実現して利用者の満足度を向上させることができる。
【００２３】
さらに、収納袋１１に携帯電話１２が収納されている間は、該携帯電話１２が収納袋１１の内面に形成されている銀メッキ層１７と光触媒層１８との抗菌作用を受けるため該携帯電話１２は除菌されて衛生的となる。  
一方、携帯電話１２の未収納時においても、収納袋１１の内部では抗菌作用が働くため衛生的である。また、収納袋１１の不使用時は折畳んでハンカチのように小さくできるため、該収納袋１１をポケットなどに容易に収納できる。また、利用者は携帯電話１２が通信可否のいずれの状態であるかを確認する場合、携帯電話１２が収納袋１１内に収納されているか、否かを一目見るだけで確認できる。  
このように、収納袋１１は携帯電話１２の電源をＯＮ／ＯＦＦする役目の代わりに使用できる電源兼用媒体として有効に使用できる。
【００２４】
なお、銀メッキ層１７と光触媒層１８は積層状態に配置する以外に、収納袋１１の内面に両層１７，１８のそれぞれが単独に露出するように部分的に配置してもよい。また、銀メッキ層１７と光触媒層１８のいずれか一方のみとしてもよい。
【００２５】
また、外面シート１５にバラの香りやミントの香りなどの芳香液を染み込ます、あるいは収納袋１１の内面に芳香剤を取り付けるなど、収納袋１１に芳香素材を備える構成としてもよい。これにより、利用者は収納袋１１に対して携帯電話１２を出し入れする毎に、芳香素材の香りを感じることができる。
【００２６】
また、檜から抽出した檜エキスを生地に染み込ませ、この檜エキス入り生地を銀メッキ層１７および光触媒層１８の代わりに備える構成としてもよい。この場合、檜エキスによる抗菌作用と、檜エキスによる芳香作用を得ることができる。従って、利用者は収納袋１１に対して携帯電話１２を出し入れする毎に、携帯電話１２を抗菌できると共に檜の香りを感じることができる。
【００２７】
また、電磁波遮断シート１６は、フェライト材によるフェライト層、炭素材による炭素層、アルミ材によるアルミ層、および炭素材による炭素層をこの順で重合配置して構成してもよい。このように構成した場合、フェライト層が外側に位置するように収納袋１１を構成するとよい。この場合も、電磁波を充分に遮断することができる。
【実施例２】
【００２８】
図５は実施例２の収納袋５１の使用状態を示す説明図である。  
この収納袋５１は、実施例１の収納袋１１と比較して、新たに照射装置５２を付設した点が異なるだけで、他の構成は同じであるため、異なる点についてのみ説明する。前記照射装置５２は、透明ケース５３の内部に発光回路５４を備えたランプ５５を内蔵させたものである。このランプ５５の発光により、収納袋５１内での実施例１で説明した光触媒層の酸化力の発生を強調させて光触媒層による抗菌効果を高めるように構成したものである。
【００２９】
このランプ５５は、常時点灯させておいてもよく、収納袋５１内に設置させておいた検知センサにより携帯電話５６が収納されたことを検知した時点で点灯するようにしてもよく、さらに透明ケース５３に付設した押しボタンを外部から押してスイッチ部５７をＯＮ／ＯＦＦ操作できるように構成してもよい。
【００３０】
このように構成された収納袋５１に携帯電話５６が収納された場合、実施例１と同じく電磁波遮断シートによって外界との通信が遮断される。このため、いちいち手間のかかる携帯電話５６の電源を切るキー入力操作をしなくても携帯電話５６の通信を遮断することができる。また、収納袋５１より携帯電話５６を取出せば、該携帯電話５６の取出し時点で、通信遮断作用を受けなくなって該携帯電話５６の通信が許可される。
【００３１】
そして、この携帯電話５６の収納に基づいてランプ５５が点灯されると、このランプ５５の光が収納袋５１の内面の光触媒層に照射し、該光触媒層の表面で強力な酸化力が生まれ、雑菌などの有害物質を除去する。よって、収納袋５１内は抗菌雰囲気を形成して除菌作用が高まり、ここに収納された携帯電話５６は除菌されて衛生的に管理される。
【００３２】
上述のように、収納袋に携帯電話を出し入れするだけで携帯電話の通信可否を選択できるという該収納袋が携帯電話の電源を切換える電源兼用媒体の役目をするため、利用者は携帯電話のキーを入力操作することなく、携帯電話の電源を切換えることができる。しかも、収納袋の内部では、除菌作用が働いて衛生的となり、通信管理及び衛生管理に優れた携帯電話の収納袋となる。
【００３３】
この発明の構成と、上述の実施形態との対応において、
この発明の携帯型通信機器は、実施形態の携帯電話１２に対応し、
以下同様に、
通信遮断素材は、電磁波遮断シート１６に対応し、
抗菌素材は、銀メッキ層１７及び光触媒層１８に対応するも、
この発明は、上述の実施形態の構成のみに限定されるものではなく、多くの実施の形態を得ることができる。
【００３４】
例えば、上述の実施例では携帯型通信機器に携帯電話１２，５６を収納する例を示したが、これに限らず、非接触通信されるＩＣカードなどにも適用できる。
【図面の簡単な説明】
【００３５】
【図１】携帯電話を収納する収納袋の正面図。
【図２】収納袋の使用状態を示す正面図。
【図３】収納袋の積層素材の一部拡大断面図。
【図４】電磁波遮断シートの拡大断面図。
【図５】実施例２の収納袋の使用状態を示す説明図。
【符号の説明】
【００３６】
１１，５１…収納袋
１２，５６…携帯電話
１５…外面シート
１６…電磁波遮断シート
１７…銀メッキ層
１８…光触媒層
５２…照射装置
【図１】
2008018113.tif 000003
【図２】
2008018113.tif 000004
【図３】
2008018113.tif 000005
【図４】
2008018113.tif 000006
【図５】
2008018113.tif 000007